(57)【要約】【課題】部品点数が少ない電池装置を提供することである。【解決手段】電池装置１０は、ケース２２の中に複数の電池セル２１を備える。電池装置１０は、複数の電池セル２１の一端に設けられた樹脂製の樹脂部材、および複数の電池セルに接続された複数のモニタ接続部材を有するモニタモジュール２３を備える。電池装置１０は、モニタモジュール２３に支持され、複数の電池セルから離れて位置付けられた水検出位置に位置する水検出電極を有する水センサ６０を備える。水センサ６０は、モニタモジュール２３の樹脂部材２４に支持された水検出電極を有する。モニタ接続部材と水検出電極とは、基板５１の上の接続領域５３において電気回路５０と接続されている。【選択図】図１
2018098056.tif 000002
【特許請求の範囲】
【請求項１】
複数の電池セル（２１）と、
複数の前記電池セルの一端に設けられた樹脂製の樹脂部材（２４）、および複数の前記電池セルに接続された複数のモニタ接続部材（２５、２９）を有するモニタモジュール（２３）と、
前記モニタモジュールに支持され、複数の前記電池セルから離れて位置付けられた水検出位置に位置する水検出電極（６１、６２、６３）を有する水センサ（６０）とを備える電池装置。
【請求項２】
複数の前記電池セルは、横方向に延びる収容方向に沿ってケースの中に収容されており、前記水検出位置は、前記収容方向を投影方向とする複数の前記電池セルの投影範囲の外に配置されている請求項１に記載の電池装置。
【請求項３】
前記水検出電極は、前記水検出位置の中で、複数の前記電池セルから離れる方向に沿って露出している複数の露出部（６１ｂ、６２ｂ、６３ｂ）を有する請求項１または請求項２に記載の電池装置。
【請求項４】
前記水検出電極は、前記モニタモジュールの前記樹脂部材に支持されている請求項１から請求項３のいずれかに記載の電池装置。
【請求項５】
複数の電池セル（２１）と、
複数の前記電池セルの一端に設けられた樹脂製の樹脂部材（２４）、および複数の前記電池セルに接続された複数のモニタ接続部材（２５、２９）を有するモニタモジュール（２３）と、
前記モニタモジュールの前記樹脂部材（２４）に支持され、水検出位置に位置する水検出電極（６１、６２、６３）を有する水センサ（６０）とを備える電池装置。
【請求項６】
さらに、基板を有する電気回路（５０）を備え、
前記基板の一部の接続領域（５３ａ、５３ｂ）において複数の前記モニタ接続部材と前記電気回路とが接続されており、前記接続領域において前記水検出電極と前記電気回路とが接続されている請求項１から請求項５のいずれかに記載の電池装置。
【請求項７】
複数の電池セル（２１）と、
複数の前記電池セルの一端に設けられた樹脂製の樹脂部材（２４）、および複数の前記電池セルに接続された複数のモニタ接続部材（２５、２９）を有するモニタモジュール（２３）と、
基板（５１）を有し、前記基板の一部の接続領域（５３ａ、５３ｂ）において複数の前記モニタ接続部材と接続される電気回路（５０）と、
前記接続領域において前記電気回路に接続され、水検出位置に位置する水検出電極（６１、６２、６３）を有する水センサ（６０）とを備える電池装置。
【請求項８】
複数の前記モニタ接続部材と前記電気回路とを接続するモニタ接続領域（５３ａ）と、前記水検出電極と前記電気回路とを接続する水センサ接続領域（５３ｂ）とが前記基板の上において隣接している請求項６または請求項７に記載の電池装置。
【請求項９】
前記モニタモジュールは板状であって、前記基板と交差して設けられており、前記モニタ接続領域と、前記水センサ接続領域とは、前記モニタモジュールに沿って配置されている請求項８に記載の電池装置。
【請求項１０】
複数の前記モニタ接続部材は、所定の方向に沿って列をなして配置されている複数の接続端子（２５）を有し、
前記水検出電極は、前記所定の方向に沿って列をなして配置されている複数の接続端子（６１ａ−６３ａ）を有する請求項６から請求項９のいずれかに記載の電池装置。
【発明の詳細な説明】
【技術分野】
【０００１】
この明細書における開示は、電池装置に関する。
【背景技術】
【０００２】
特許文献１は、水没検出装置を有する電池装置を開示する。水没検出装置は、電池ケースの横に設けられている。電池ケースと共に配置される電気回路は、水没検出装置の上で、水没検出装置と電気的に接続されている。電気回路は、複数の電池の電圧等を監視するために、複数の電池とも接続されている。従来技術として列挙された先行技術文献の記載内容は、この明細書における技術的要素の説明として、参照により援用される。
【先行技術文献】
【特許文献】
【０００３】
【特許文献１】特開２０１５−８１８９６号公報
【発明の概要】
【発明が解決しようとする課題】
【０００４】
従来技術の構成では、電池装置に水没検出装置が付加されている。これでは、電池装置の部品と、水没検出装置の部品との関連付けが不足している。このため、部品点数が多い。また、電気回路と複数の電池との電気的接続と、電気回路と水没検出装置との電気的接続との関連付けが不足している。このため、複数の電気的接続部分が、有利に配置されていない。なお、水没検出装置は、水センサとも呼ばれる。上述の観点において、または言及されていない他の観点において、電池装置にはさらなる改良が求められている。
【０００５】
開示されるひとつの目的は、部品点数が少ない電池装置を提供することである。
【０００６】
開示される他のひとつの目的は、電気回路と複数の電池との電気的接続と、電気回路と水センサとの電気的接続とが、有利に関連付けられている電池装置を提供することである。
【課題を解決するための手段】
【０００７】
ここに開示された電池装置は、複数の電池セル（２１）と、複数の電池セルの一端に設けられた樹脂製の樹脂部材（２４）、および複数の電池セルに接続された複数のモニタ接続部材（２５、２９）を有するモニタモジュール（２３）と、モニタモジュールに支持され、複数の電池セルから離れて位置付けられた水検出位置に位置する水検出電極（６１、６２、６３）を有する水センサ（６０）とを備える。
【０００８】
開示される電池装置によると、水センサがモニタモジュールに支持されている。しかも、水検出位置が、複数の電池セルから離れている。このため、複数の電池セルの温度変化の影響を抑制することができる。
【０００９】
ここに開示された電池装置は、複数の電池セル（２１）と、複数の電池セルの一端に設けられた樹脂製の樹脂部材（２４）、および複数の電池セルに接続された複数のモニタ接続部材（２５、２９）を有するモニタモジュール（２３）と、モニタモジュールの樹脂部材（２４）に支持され、水検出位置に位置する水検出電極（６１、６２、６３）を有する水センサ（６０）とを備える。
【００１０】
開示される電池装置によると、モニタモジュールの樹脂部材によって水センサのための水検出電極が支持される。これにより、電池装置において必要となるモニタ電極を配置しながら、水センサを配置することができる。この結果、部品点数が低減される。
【００１１】
ここに開示された電池装置は、複数の電池セル（２１）と、複数の電池セルの一端に設けられた樹脂製の樹脂部材（２４）、および複数の電池セルに接続された複数のモニタ接続部材（２５、２９）を有するモニタモジュール（２３）と、基板（５１）を有し、基板の一部の接続領域（５３ａ、５３ｂ）において複数のモニタ接続部材と接続される電気回路（５０）と、接続領域において電気回路に接続され、水検出位置に位置する水検出電極（６１、６２、６３）を有する水センサ（６０）とを備える。
【００１２】
開示される電池装置によると、基板の上の共通の接続領域において、モニタ接続部材のための接続と、水センサのための接続とが実施される。これにより、電池装置において必要となる、モニタモジュールと電気回路との接続と、水センサと電気回路との接続との両方の接続が、基板の大きさを抑制する上で、および／または製造段階で接続作業を効率的に行う上で、有利な形態で提供される。
【００１３】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１４】
【図１】第１実施形態の電池装置の斜視図である。
【図２】第１実施形態の電池ユニットと電気回路とを示す斜視図である。
【図３】第１実施形態の電池装置の斜視断面図である。
【図４】第１実施形態の電池ユニットの斜視分解図である。
【図５】第１実施形態の複数の電池セルを示す斜視図である。
【図６】第１実施形態のモニタモジュールを示す斜視図である。
【図７】第１実施形態のモニタモジュールを示す模式的な斜視図である。
【図８】第１実施形態の作動を示すフローチャートである。
【図９】第２実施形態のモニタモジュールを示す模式的な斜視図である。
【図１０】第３実施形態のモニタモジュールを示す模式的な斜視図である。
【発明を実施するための形態】
【００１５】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１６】
第１実施形態
図１は、カバーを外した状態の電池装置１０を示す。図中には、正規の設置状態における斜視図が示されている。以下、特に断らない場合、正規の設置状態における上下が図の上下である。
【００１７】
図１において、電池装置１０は、乗り物に搭載されている。電池装置１０は、乗り物の室内に搭載されている。乗り物の一例は、車両である。電池装置１０は、例えば、車両の座席の下に搭載されている。電池装置１０は、乗り物の発電電動機（ＭＧ）１５と協働する。電池装置１０は、乗り物の電動システムを提供する。発電電動機１５は、内燃機関（ＥＧ）１６と連結されている。電池装置１０は、車両の電気負荷（ＬＤ１、ＬＤ２）１７、１８に接続されている。電気負荷１７は、バッテリおよびスタータのような大電流が流れる電気負荷である。電気負荷１８は、バッテリおよびスタータを除く車両の複数の電気負荷の一部または全部である。
【００１８】
発電電動機１５は、内燃機関１６によって駆動されることによって、発電機として機能する。発電電動機１５によって発電された電力の少なくとも一部は、電池装置１０に供給される。この場合、電池装置１０は充電される。発電電動機１５は、電池装置１０から電力を供給される。この場合、発電電動機１５は、電動機として機能する。発電電動機１５は、内燃機関１６とともに動力源として機能する。例えば、発電電動機１５は、内燃機関１６が供給する動力を上回る動力、または、内燃機関１６が供給する動力を補助する動力を供給する。
【００１９】
カバーを含む電池装置１０は、車両の座席の下への搭載に適した高さを有する。電池装置１０は、電池ユニット２０と、ベース３０と、バスバーユニット４０と、電気回路５０と、水センサ６０とを備える。
【００２０】
電池ユニット２０は、複数の電池セル２１を収容するケース２２を有する。ケース２２は、電気絶縁性の樹脂製である。ケース２２は、複数の電池セル２１を収容する容器の一部である。ケース２２は、複数の電池セル２１を互いに固定している。さらに、ケース２２は、複数の電池セル２１をベース３０に固定する固定部材でもある。
【００２１】
電池ユニット２０は、モニタモジュール２３を有する。モニタモジュール２３は、電気絶縁性の樹脂部分と、複数の電池セル２１に接続されるモニタ接続部材とを有している。さらに、モニタモジュール２３は、水センサ６０を有している。水センサ６０は、複数の水検出電極を有している。モニタモジュール２３は、６面体であるケース２２の一面に沿って配置されている。モニタモジュール２３は、ケース２２の蓋でもある。モニタモジュール２３の詳細な形状は後述される。
【００２２】
ベース３０は、導電性の金属製である。ベース３０は、アルミニウム・ダイカスト製である。ベース３０は、浅い皿状、または浅いカップ状と呼べる形状を有している。ベース３０に、電池ユニット２０と、バスバーユニット４０と、電気回路５０とが搭載される。ベース３０は、省略されているカバーとともに、電池装置１０の外形を提供している。ベース３０は、電池装置１０の下部の外殻を提供している。ベース３０は、下に向けて凸状であって、上から凹状の容器部３１を有する。容器部３１は、水が溜まりうる凹部を内側に形成している。ベース３０は、複数のステー３２を有する。ステー３２は、電池装置１０を車両に固定するための固定部である。ステー３２は、多様な形状を有している。
【００２３】
バスバーユニット４０は、電池ユニット２０の電力端子から延びる電力経路を提供する。バスバーユニット４０は、電気絶縁性の樹脂部分と、電池ユニット２０に接続される電力接続部材とを有している。バスバーユニット４０は、ベース３０の上に固定されている。バスバーユニット４０は、複数の電力端子４１、４２、４３を有する。バスバーユニット４０は、少なくとも２つの電力接続部材を有する。ひとつの電力接続部材は、電池ユニット２０のひとつの電力端子と、複数の電力端子４１、４２、４３のひとつとの間に設けられ、電気的接続を提供する。外側の電力端子４１は発電電動機１５に接続されている。内側の電力端子４２は、電気負荷１７に接続されている。電力端子４３は、電気負荷１８に接続されている。
【００２４】
電気回路５０は、ベース３０の上に固定されている。電気回路５０は、電池ユニット２０の横に広がっている。電気回路５０は、電池ユニット２０のひとつの一面の横と、電池ユニット２０の他の一面の横とにわたって広がっている。電気回路５０は、Ｌ字型、またはカギ型と呼べる。電池ユニット２０は、ほぼ四辺形のベース３０のひとつの隅部に配置されている。電気回路５０は、ベース３０上に電池ユニット２０の横に広がるカギ型に渡る範囲を占める。電気回路５０は、モニタモジュール２３に沿って配置されている。電気回路５０のひとつの一部は、電池ユニット２０のモニタモジュール２３側の横に広がるように配置されている。電気回路５０の他の一部は、電池ユニット２０の横であって、モニタモジュール２３の周囲面の横に広がるように配置されている。このような配置は、電池ユニット２０と電気回路５０との、関連付けられた有利な配置に貢献する。
【００２５】
電気回路５０は、基板５１と、複数の電気部品５２とを有する。基板５１は、いわゆるプリント基板である。基板５１は、Ｌ字型、またはカギ型と呼べる。基板５１は、上述の電気回路５０が占める水平範囲にわたって広がっている。基板５１は、単一の基板である。基板５１の上には、複数の電気部品５２が所定の方向である配置方向軸５０ａに沿って配置されている。配置方向軸５０ａは、モニタモジュール２３に沿って延びる軸である。基板５１は、この配置方向軸５０ａに沿って複数の接続部分を有している。言い換えると、複数の接続部分は、配置方向軸５０ａに沿って列をなして配置されている。複数の接続部分の一部、または全部は、バスバーユニット４０の電力接続部材と電気回路５０との接続を提供する。
【００２６】
複数の電気部品５２は、制御装置を提供する。制御装置は、電池ユニット２０に含まれる複数の電池セル２１のそれぞれの電圧を監視する。制御装置は、複数の電池セル２１のそれぞれの充電状態、放電状態を監視する。制御装置は、複数の電池セル２１のそれぞれの充電状態を適正に制御する。
【００２７】
座席に水がこぼされる場合に、水に濡れた乗員が座席を利用する場合に、または車両が水に浸かる場合に、電池装置１０の中に水が浸入する場合がある。この場合、電池装置１０が水を放電経路として放電する場合がある。この実施形態では、電池装置１０の中における水を検出する水センサ６０と、水を検出した場合に、対策処理を実行する制御装置とを備えている。制御装置は、電池装置１０内への浸水を監視する。制御装置は、浸水が検出された場合に、対策処置を実行する。対策処理は、例えば、複数の電気部品５２のひとつであるブレーカ素子をオフ状態にすることである。
【００２８】
電気回路５０が提供する制御システムは、制御装置（ＥＣＵ）を提供する。制御装置は、電子制御装置（Electronic Control Unit）である。制御装置は、少なくともひとつの演算処理装置（ＣＰＵ）と、プログラムとデータとを記憶する記憶媒体としての少なくともひとつのメモリ装置（ＭＭＲ）とを有する。制御装置は、コンピュータによって読み取り可能な記憶媒体を備えるマイクロコンピュータによって提供される。記憶媒体は、コンピュータによって読み取り可能なプログラムを非一時的に格納する非遷移的実体的記憶媒体である。記憶媒体は、半導体メモリまたは磁気ディスクなどによって提供されうる。制御装置は、ひとつのコンピュータ、またはデータ通信装置によってリンクされた一組のコンピュータ資源によって提供されうる。プログラムは、制御装置によって実行されることによって、制御装置をこの明細書に記載される装置として機能させ、この明細書に記載される方法を実行するように制御装置を機能させる。
【００２９】
制御システムは、制御装置に入力される情報を示す信号を供給する複数の信号源を入力装置として有する。制御システムは、制御装置が情報をメモリ装置に格納することにより、情報を取得する。制御システムは、制御装置によって挙動が制御される複数の制御対象物を出力装置として有する。制御システムは、メモリ装置に格納された情報を信号に変換して制御対象物に供給することにより制御対象物の挙動を制御する。
【００３０】
制御システムに含まれる制御装置と信号源と制御対象物とは、多様な要素を提供する。それらの要素の少なくとも一部は、機能を実行するためのブロックと呼ぶことができる。別の観点では、それらの要素の少なくとも一部は、構成として解釈されるモジュール、またはセクションと呼ぶことができる。さらに、制御システムに含まれる要素は、意図的な場合にのみ、その機能を実現する手段ともよぶことができる。
【００３１】
制御システムが提供する手段および／または機能は、実体的なメモリ装置に記録されたソフトウェアおよびそれを実行するコンピュータ、ソフトウェアのみ、ハードウェアのみ、あるいはそれらの組合せによって提供することができる。例えば、制御装置がハードウェアである電子回路によって提供される場合、それは多数の論理回路を含むデジタル回路、またはアナログ回路によって提供することができる。電気回路５０は、インバータおよび／またはコンバータとしての回路と、複数の電池セル２１の電圧を観測するモニタ回路とを備えてもよい。この場合、制御装置は別の電気回路容器に収容される。
【００３２】
電気回路５０は、接続領域５３と、搭載領域５４とを有している。基板５１は、接続領域５３と、搭載領域５４とを有している。接続領域５３には、複数のモニタ接続部材のための複数の接続端子が位置するモニタ接続領域５３ａと、水センサ６０のための複数の接続端子が位置する水センサ接続領域５３ｂとが配置されている。基板５１には、これら接続端子が位置付けられ、ハンダ付けされている複数のランドが配置されている。搭載領域５４は、接続領域５３の外に設けられている。搭載領域５４は、接続領域５３の横に位置している。搭載領域５４は、モニタモジュール２３の正面に広がっている。言い換えると、搭載領域５４は、板状のモニタモジュール２３の広い主面の上に、主面と交差して広がっている。搭載領域５４には、複数の電気部品５２が搭載されている。
【００３３】
接続領域５３は、ケース２２の横であって、モニタモジュール２３の横に位置している。接続領域５３は、ケース２２の横であって、モニタモジュール２３の周囲面の横に位置している。接続領域５３は、細長い範囲にわたって広がっている。接続領域５３は、モニタモジュール２３の周囲面の横に広がっている。接続領域５３は、モニタモジュール２３の厚さの中に広がっている。
【００３４】
モニタ接続領域５３ａと水センサ接続領域５３ｂとは、基板５１の上において並んで配置されている。モニタ接続領域５３ａと水センサ接続領域５３ｂとは、基板５１の上において一直線状に配置されている。モニタ接続領域５３ａと水センサ接続領域５３ｂとは、それらの中における複数の接続端子が、ひとつまたは複数の直線に沿って並ぶように配置されている。モニタ接続領域５３ａと水センサ接続領域５３ｂとは、基板５１の上において互いに接して配置されている。モニタ接続領域５３ａと水センサ接続領域５３ｂとは、それらの間に電気部品５２を位置づけることなく、基板５１の上に配置されている。モニタ接続領域５３ａと水センサ接続領域５３ｂとは、搭載領域５４の横に位置している。モニタ接続領域５３ａと搭載領域５４との間の距離と、水センサ接続領域５３ｂと搭載領域５４との間の距離とは、等しい。
【００３５】
図２には、電池ユニット２０と電気回路５０とが図示されている。接続領域５３は、モニタモジュール２３の周囲面の横に位置している。モニタ接続領域５３ａには、６本の接続端子が位置付けられている。水センサ接続領域５３ｂには、３本の接続端子が位置付けられている。
【００３６】
図３は、カバーを除く電池装置１０の断面図である。この断面図には、モニタモジュール２３の前面における断面が図示されている。図中には、ベース３０の断面が図示されている。図中には、バスバーユニット４０の断面が図示されている。図中には、基板５１の断面が図示されている。
【００３７】
モニタモジュール２３は、複数の電池セル２１を収容したケース２２の一端に設けられた樹脂製の樹脂部材２４を有する。モニタモジュール２３は、複数の電池セル２１に接続された複数のモニタ接続部材を有する。モニタ接続部材は、接続端子２５、接続端子２９を有する。
【００３８】
水センサ６０は、複数の水検出電極６１、６２、６３を有する。水センサ６０は、水没検出器とも呼ばれる。複数の水検出電極６１−６３は、電気絶縁性の樹脂部材６４によって互いに離れて支持されている。複数の水検出電極６１、６２、６３は、樹脂部材６４に組み付け、またはインサート成形によって、支持されている。複数の水検出電極６１−６３は、基板５１に接続される接続端子６１ａ、６２ａ、６３ａを有する。接続端子６１ａ、６２ａ、６３ａは、基板５１を貫通して配置されている。複数の水検出電極６１−６３は、水検出位置６５に位置付けられる露出部６１ｂ、６２ｂ、６３ｂを有する。水検出位置６５は、ベース３０内にある空洞である。水検出位置６５は、容器部３１の中の一部である。水検出位置６５は、容器部３１の中の最も低い位置である。水検出位置６５は、基板５１の下にある。水検出位置６５は、水センサ接続領域５３ｂの真下に位置している。よって、水検出位置６５は、ケース２２から離れている。水検出位置６５は、ケース２２に面していない。
【００３９】
水センサ６０は、モニタモジュールに支持されている。水検出位置６５は、複数の電池セル２１から離れて位置付けられている。水検出電極６１、６２、６３は、水検出位置６５において複数の露出部６１ｂ、６２ｂ、６３ｂによって露出している。複数の露出部６１ｂ、６２ｂ、６３ｂは、水検出位置６５の中で、複数の電池セル２１から離れる方向に沿って露出している。複数の露出部６１ｂ、６２ｂ、６３ｂは、ケース２２から離れるように延びる線に沿って順に配置されている。水検出電極６１、６２、６３は、モニタモジュール２３の樹脂部材２４に支持されている。
【００４０】
樹脂部材６４は、モニタモジュール２３の樹脂部材２４と一体である。樹脂部材６４と樹脂部材２４とは、同じ樹脂材料の連続体である。樹脂部材６４と樹脂部材２４とは、一体成形されている。樹脂部材６４によって水検出電極６１、６２、６３の一部が覆われている。樹脂部材６４から、水検出電極６１、６２、６３の露出部６１ｂ、６２ｂ、６３ｂが露出している。
【００４１】
モニタモジュール２３の樹脂部材２４は、複数の接続端子２５ａ、２５ｂ、２５ｃ、２５ｄ、２５ｆを保持している。これら接続端子２５ａ−２５ｆは、モニタ接続部材の一部である。樹脂部材２４は、複数のモニタ接続部材を支持している。複数のモニタ接続部材の全部または一部は、樹脂部材２４に組み付け、またはインサート成形によって支持されている。６つの接続端子２５ａ−２５ｆは、基板５１に接続されている。接続端子２５ａ−２５ｆは、基板５１を貫通して配置されている。
【００４２】
基板５１の一部の接続領域５３において複数のモニタ接続部材の接続端子２５と電気回路５０とが接続されている。その同じ接続領域５３において水検出電極６１、６２、６３と電気回路５０とが接続されている。水センサ６０は、接続領域５３において電気回路５０に接続され、水検出位置６５において露出する水検出電極６１、６２、６３を有する。複数のモニタ接続部材と電気回路５０とを接続するモニタ接続領域５３ａと、水検出電極６１、６２、６３と電気回路５０とを接続する水センサ接続領域５３ｂとが基板５１の上において隣接している。モニタモジュール２３は板状である。モニタモジュール２３は、基板５１と交差して設けられている。モニタ接続領域５３ａと、水センサ接続領域５３ｂとは、モニタモジュール２３に沿って配置されている。複数のモニタ接続部材は、所定の方向に沿って列をなして配置されている複数の接続端子２５を有する。水検出電極６１、６２、６３は、複数の接続端子２５の列の方向に沿って列をなして配置されている。
【００４３】
図４は、電池ユニット２０の分解斜視図である。電池ユニット２０は、横に開口部を有するケース２２内に複数の電池セルを収容している。複数の電池セルは、横に面する一面に端子を露出させるように横向きに配置されている。よって、電池ユニット２０は、横の一面にモニタモジュール２３などの部品を有する。これら部品の組み立て方向は、製品の正規の設置状態では、ケース２２に対して横向きである。
【００４４】
電池ユニット２０は、複数の電池セルを接続する複数の導体２６を有する。複数の導体２６は、複数の電池セルを直列に接続する。電池ユニット２０は、複数のモニタ端子２７を有する。モニタ端子２７は、電池セルの少なくとも電圧を検出するために利用される。電池ユニット２０は、ガスケット部材２８を有する。ガスケット部材２８は、複数の電池セルとモニタモジュール２３との間に配置される。モニタモジュール２３は、接続端子２９を有する。接続端子２９は、モニタ端子２７を受け入れる。接続端子２９とモニタ端子２７とは、電気的に接続されている。
【００４５】
図５は、複数の電池セル２１を示す。図示の例では、電池ユニット２０は、５つの電池セル２１を有する。図中には、複数の導体２６ａ、２６ｂ、２６ｃ、２６ｄ、２６ｅ、２６ｆが図示されている。図示の例では、６つのモニタ端子２７を有する。ひとつの導体２６に、ひとつのモニタ端子２７が設けられている。６つのモニタ端子２７により、５つの電池セル２１のそれぞれの状態が監視される。図中には、複数のモニタ端子２７ａ、２７ｂ、２７ｃ、２７ｄ、２７ｅ、２７ｆが図示されている。
【００４６】
図６は、モニタモジュール２３を示す。樹脂部材２４と樹脂部材６４とが連続的なことによって、モニタモジュール２３と水センサ６０とは一体的である。モニタモジュール２３と水センサ６０とは、ひとつの部品として取り扱うことができる。水センサ６０は、３つの水検出電極６１−６３を有する。モニタモジュール２３は、複数の接続端子２５ａ−２５ｆを有する。
【００４７】
複数の接続端子２５ａ−２５ｆ、および複数の接続端子６１ａ−６３ａは、同じ形状である。複数の接続端子２５ａ−２５ｆ、および複数の接続端子６１ａ−６３ａは、モニタモジュール２３のひとつの平面から延び出している。モニタモジュール２３の周囲面に、この平面は、位置している。複数の接続端子２５ａ−２５ｆ、および複数の接続端子６１ａ−６３ａは、モニタモジュール２３から同じ方向へ延び出している。
【００４８】
図中には、複数の接続端子２９ａ、２９ｂ、２９ｃ、２９ｄ、２９ｅ、２９ｆが図示されている。複数の接続端子２９ａ、２９ｂ、２９ｃ、２９ｄ、２９ｅ、２９ｆのひとつは、複数のモニタ端子２７ａ、２７ｂ、２７ｃ、２７ｄ、２７ｅ、２７ｆのひとつに対応付けられている。複数の接続端子２９ａ、２９ｂ、２９ｃ、２９ｄ、２９ｅ、２９ｆのひとつは、複数のモニタ端子２７ａ、２７ｂ、２７ｃ、２７ｄ、２７ｅ、２７ｆのひとつを受け入れ、電気的に接続されている。接続端子２９と、モニタ端子２７とは、スクリューによる締め付け、ハンダ、かしめなど多様な接続手法により接続することができる。ひとつのモニタ接続部材は、複数の接続端子２５ａ−２５ｆのひとつと、複数の接続端子２９ａ−２９ｆのひとつとを接続している。
【００４９】
図７は、モニタモジュール２３を模式化して示している。モニタモジュール２３は、モニタ接続部材を保持しうる所定の厚さを有する板状に模式化されている。モニタモジュール２３は、両面に相当する最も広い主面２３ａを有する。モニタモジュール２３は、周囲を囲む周囲面２３ｂを有する。周囲面２３ｂは、複数の面、または、連続する面によって提供することができる。モニタモジュール２３は、Ｌ字型である。モニタモジュール２３は、横へ突出した突出部分２３ｃを有する。突出部分２３ｃは、主面２３ａに沿って延び出している。突出部分２３ｃは、主面２３ａより小さい。突出部分２３ｃは、モニタモジュール２３の下部に位置している。突出部分２３ｃは、下側に、水検出位置６５を区画するように、モニタモジュール２３の最下部より上に位置している。
【００５０】
突出部分２３ｃは、複数の接続端子２５ａ−２５ｆ、および複数の接続端子６１ａ−６３ａが保持されている保持部分でもある。突出部分２３ｃは、複数の接続端子２５ａ−２５ｆ、および複数の接続端子６１ａ−６３ａを、基板５１と接続するために、延び出している。突出部分２３ｃは、主面２３ａに沿って延びる直線２０ａに沿っている。
【００５１】
突出部分２３ｃは、電池ユニット２０における突出部分でもある。電池ユニット２０は、およそ直方体と呼びうる形状である。ケース２２が、位置決め用の突起およびボルト穴付きステーを有するからである。突出部分２３ｃは、直方体から延び出している。ケース２２は、モニタモジュール２３が設置されている側に開口部を有する。ケース２２は、この開口部から、複数の電池セル２１を受け入れる。
【００５２】
複数の電池セル２１は、横方向に延びる収容方向（投影方向ＰＤとは逆方向）に沿ってケース２２の中に収容されている。水検出位置６５は、収容方向の逆方向を投影方向ＰＤとする複数の電池セル２１の投影範囲ＰＲの外に配置されている。言い換えると、複数の電池セル２１の電池ユニット２０への装着方向に沿って、その逆の投影方向ＰＤを設定し、ケース２２の投影範囲ＰＲを規定した場合、突出部分２３ｃは、投影範囲ＰＲより横方向へ突出している。この横方向は、投影方向ＰＤと直交する水平方向である。
【００５３】
突出部分２３ｃは、複数の接続端子２５ａ−２５ｆが保持されているモニタ保持部分２３ｄを有する。突出部分２３ｃは、接続端子６１ａ−６３ａが保持されている水センサ保持部分２３ｅを有する。モニタ保持部分２３ｄと水センサ保持部分２３ｅとは、主面２３ａに沿って延びるは直線２０ａに沿って並んでいる。水センサ保持部分２３ｅは、モニタ保持部分２３ｄより外に位置している。
【００５４】
モニタ保持部分２３ｄは、複数の接続端子２５（２５ａ−２５ｆ）が配置された端子面２３ｇを有する。水センサ保持部分２３ｅは、複数の接続端子６１ａ、６２ａ、６３ａが配置された端子面２３ｈを有する。端子面２３ｇと、端子面２３ｈとは、モニタモジュール２３の周囲面２３ｂの一部である。端子面２３ｇと、端子面２３ｈとは、直ぐ隣に隣接している。
【００５５】
図８は、水センサ６０に関連する制御処理１７０を示す。電気回路５０が提供する制御装置は、水センサ６０によって水が検出される場合には、ブレーカ機能を提供するように電気部品５２を制御する対策処理を実行する。制御装置は、制御処理１７０を実行する。
【００５６】
ステップ１７１では、水センサ６０によって水検出処理を実行する。制御装置は、複数の水検出電極６１−６３の間の電気的な変量、例えば抵抗値または静電容量、を検出する。この電気的な変量により、水検出位置６５における水の有無が検出される。
【００５７】
電池装置１０は、電池ユニット２０および電気回路５０における温度変化によって、内部に凝縮水を生成する場合がある。凝縮水は、電池装置１０の容器であるベース３０内に溜まることがある。この場合、水センサ６０は、凝縮水を検出することによって誤作動する場合がある。
【００５８】
この実施形態では、水センサ６０は、電池ユニット２０から離れて位置付けられる。水センサ６０は、投影範囲ＰＲの外に位置付けられる。水センサ６０は、モニタ保持部分２３ｄよりも電池ユニット２０から離れて位置付けられる。これにより、電池ユニット２０の温度変化による影響が抑制される。すなわち、水センサ６０が凝縮水を検出することによって誤作動することが抑制される。
【００５９】
ステップ１７２では、水検出位置６５に水が有るか否かを判定する。水がない場合、ステップ１７１へ戻る。水がある場合、ステップ１７３へ進む。ステップ１７３では、対策処理を実行する。例えば、複数の電気部品５２により、電池ユニット２０と電力端子４１、４２、４３との間の接続を遮断する。
【００６０】
この実施形態によると、水センサ６０が電池ユニット２０から離れて位置付けられる。これにより、電池ユニット２０の温度変化による影響が抑制される。この実施形態によると、水センサ６０とモニタモジュール２３とが一体化される。水センサ６０の水検出電極６１−６３がモニタモジュール２３の樹脂部材２４によって保持される。よって、部品点数を低減することができる。この実施形態によると、水センサ６０のための接続端子６１ａ、６２ａ、６３ａと、モニタモジュール２３のための接続端子２５ａ、２５ｂ、２５ｃ、２５ｄ、２５ｅ、２５ｆとが、並べて配置される。このため、複数の接続端子と電気回路５０とを接続を集中的に配置することができる。モニタモジュール２３に保持されるモニタ接続部材は、接続端子２５と接続端子２９との間において樹脂部材２４の厚さ、すなわちモニタモジュール２３の厚さの中に敷設できる形状とすることができる。
【００６１】
第２実施形態
この実施形態は、先行する実施形態を基礎的形態とする変形例である。上記実施形態では、樹脂部材２４と樹脂部材６４とを連続した樹脂とすることによって、モニタモジュール２３と水センサ６０とが、一体化される。これに代えて、この実施形態では、別体に形成された水センサ６０を連結することによって、モニタモジュール２３と水センサ６０とが一体化される。
【００６２】
図９において、水センサ保持部分２３ｅは、樹脂部材２４とは、別体の樹脂部材２６４を有する。水センサ保持部分２３ｅは、モニタモジュール２３にハッチングで示された領域に連結される。モニタモジュール２３と水センサ６０との連結は、接着、ボルトまたはスクリュなどの締結部材による締め付けなど多様な連結機構を用いることができる。
【００６３】
第３実施形態
この実施形態は、先行する実施形態を基礎的形態とする変形例である。上記実施形態では、モニタ保持部分２３ｄと水センサ保持部分２３ｅとが、主面２３ａと平行な直線２０ａに沿って並んで配置される。これに代えて、この実施形態では、モニタ保持部分２３ｄと水センサ保持部分２３ｅとが、主面２３ａに垂直な直線３２０ａに沿って並んで配置される。
【００６４】
図１０において、水センサ保持部分２３ｅは、樹脂部材２４によって形成されている。樹脂部材２４と樹脂部材６４とを連続した樹脂とすることによって、モニタモジュール２３と水センサ６０とが、一体化されている。モニタ保持部分２３ｄと水センサ保持部分２３ｅとは、主面２３ａに垂直な直線３２０ａに沿って並んで配置されている。
【００６５】
この実施形態でも、水センサ６０が電池ユニット２０から離れて位置付けられる。この実施形態でも、水センサ６０とモニタモジュール２３とが一体化される。水センサ６０の水検出電極６１−６３がモニタモジュール２３の樹脂部材２４によって保持される。この実施形態でも、水センサ６０のための接続端子６１ａ、６２ａ、６３ａと、モニタモジュール２３のための接続端子２５ａ、２５ｂ、２５ｃ、２５ｄ、２５ｅ、２５ｆとが、並べて配置される。
【００６６】
他の実施形態
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００６７】
上記実施形態では、単一の基板５１を採用した。これに代えて、基板５１は、複数の単位基板の集合体として提供されていてもよい。上記実施形態では、複数の導体２６は、複数の電池セルを直列に接続する。これに代えて、複数の電池セルは、並列に接続されてもよい。また、複数の並列接続部分を直列接続していてもよい。
【符号の説明】
【００６８】
１０  電池装置、
２０  電池ユニット、  ２１  電池セル、  ２２  ケース、
２３  モニタモジュール、  ２４  樹脂部材、  ２５  接続端子、  ２９  接続端子、
３０  ベース、  ３１  容器部、  ３２  ステー、
４０  バスバーユニット、  ４１、４２、４３  端子、  
５０  電気回路、  ５１  基板、  ５２  電気部品、  ５３  接続領域、
６０  水センサ、  ６１、６２、６３  水検出電極、
６１ａ、６２ａ、６３ａ  接続端子、
６１ｂ、６２ｂ、６３ｂ  露出部、  ６４  樹脂部材、  ６５  水検出位置。
【図１】
2018098056.tif 000003
【図２】
2018098056.tif 000004
【図３】
2018098056.tif 000005
【図４】
2018098056.tif 000006
【図５】
2018098056.tif 000007
【図６】
2018098056.tif 000008
【図７】
2018098056.tif 000009
【図８】
2018098056.tif 000010
【図９】
2018098056.tif 000011
【図１０】
2018098056.tif 000012